(57)【要約】【課題】２つの液晶パネルに共通のバックライトで光を照射すべくフレーム部材に開口部を設けた場合に、この開口部の縁が、画面サイズの大きい方の液晶パネルの表示画面内で窓枠状の影となって見えてしまう。【解決手段】電話機本体の主面側に設けられた第１の液晶パネル１と、電話機本体の背面側に設けられた第２の液晶パネル２と、これらの液晶パネル１，２の間に介装されたバックライト３と、このバックライト３が実装されるとともに、バックライト３からの光を第２の液晶パネル２側に透過させる開口部１０を有するフレーム部材４とを備える表示モジュールを用いた携帯電話機の構成として、バックライト３に対向しかつ第２の液晶パネル２の裏面と同じ方向を向くフレーム部材４の所定面４Ａを、第２の液晶パネル２の裏面と同等以下の光反射率を有する面とする。【選択図】図３
2005257723.tif 000002
【特許請求の範囲】
【請求項１】
２つの液晶パネルと、
前記２つの液晶パネルの間に介装され、前記２つの液晶パネルの両方に光を照射するバックライトと、
前記バックライトが実装されるとともに、前記バックライトからの光を一方の液晶パネル側に透過させる開口部を有するフレーム部材とを備え、
前記バックライトに対向しかつ前記一方の液晶パネルの裏面と同じ方向を向く前記フレーム部材の所定面を、前記一方の液晶パネルの裏面と同等以下の光反射率を有する面としてなる
ことを特徴とする表示モジュール。
【請求項２】
前記フレーム部材の所定面に着色処理を施してなる
ことを特徴とする請求項１記載の表示モジュール。
【請求項３】
前記フレーム部材の所定面に粗面化処理を施してなる
ことを特徴とする請求項１記載の表示モジュール。
【請求項４】
２つの液晶パネルと、
前記２つの液晶パネルの両方に光を照射するバックライトと、
前記バックライトが実装されるとともに、前記バックライトからの光を一方の液晶パネル側に透過させる開口部を有するフレーム部材とを備え、
前記バックライトと前記フレーム部材との間にシート部材を介装するとともに、前記バックライトに対向しかつ前記一方の液晶パネルの裏面と同じ方向を向く前記シート部材の所定面を、前記一方の液晶パネルの裏面と同等以下の光反射率を有する面としてなる
ことを特徴とする表示モジュール。
【請求項５】
前記シート部材の所定面に着色処理を施してなる
ことを特徴とする請求項４記載の表示モジュール。
【請求項６】
２つの液晶パネルと、
前記２つの液晶パネルの間に介装され、前記２つの液晶パネルの両方に光を照射するバックライトと、
前記バックライトが実装されるとともに、前記バックライトからの光を一方の液晶パネル側に透過させる開口部を有するフレーム部材とを備え、
前記バックライトに対向しかつ前記一方の液晶パネルの裏面と同じ方向を向く前記フレーム部材の所定面を、前記一方の液晶パネルの裏面と同等以下の光反射率を有する面としてなる表示モジュールを用いた
ことを特徴とする携帯電話機。
【請求項７】
前記一方の液晶パネルは電話機本体の背面側に設けられ、その反対側となる前記電話機本体の主面側に他方の液晶パネルが設けられている
ことを特徴とする請求項６記載の携帯電話機。
【請求項８】
前記一方の液晶パネルの画面サイズは前記他方の液晶パネルよりも小さい
ことを特徴とする請求項６記載の携帯電話機。
【請求項９】
２つの液晶パネルと、
前記２つの液晶パネルの両方に光を照射するバックライトと、
前記バックライトが実装されるとともに、前記バックライトからの光を一方の液晶パネル側に透過させる開口部を有するフレーム部材とを備え、
前記バックライトと前記フレーム部材との間にシート部材を介装するとともに、前記バックライトに対向しかつ前記一方の液晶パネルの裏面と同じ方向を向く前記シート部材の所定面を、前記一方の液晶パネルの裏面と同等以下の光反射率を有する面としてなる表示モジュールを用いた
ことを特徴とする携帯電話機。
【請求項１０】
前記一方の液晶パネルは電話機本体の背面側に設けられ、その反対側となる前記電話機本体の主面側に他方の液晶パネルが設けられている
ことを特徴とする請求項９記載の携帯電話機。
【請求項１１】
前記一方の液晶パネルの画面サイズは前記他方の液晶パネルよりも小さい
ことを特徴とする請求項９記載の携帯電話機。
【発明の詳細な説明】
【技術分野】
【０００１】
本発明は、２つの液晶パネルを備える表示モジュールと、これを用いた携帯電話機に関する。
【背景技術】
【０００２】
携帯電話機は、電話機本体を形成する２つの筐体部分をヒンジ機構により開閉自在（折畳み自在）とした折畳み型携帯電話機が主流となっている。この種の携帯電話機としては、２つの液晶パネルを備えたものが知られている。１つは、筐体部分を開いたときに見えるメインディスプレイ部を形成する液晶パネルであり、もう１つは、筐体部分を閉じた状態でも見えるサブディスプレイ部を形成する液晶パネルである。一般にメインディスプレイ部はサブディスプレイ部よりも画面サイズが大きいため、これに合わせて各々の液晶パネルのサイズも決められている。
【０００３】
ここで、液晶パネルは、液晶自体が光を発しない受光形の表示デバイスであるため、画像を明るく表示するための面光源としてバックライトを必要とする。バックライトは、液晶パネルの裏面側（非表示面側）から面状の光を照射するものである。バックライトから照射された光は液晶パネルを選択的に透過する。このとき、液晶パネルの裏面側から入射した光が、液晶の光透過率に応じて、その反対側の表示面側に抜けることにより、液晶パネルの画面上に画像が表示される。
【０００４】
上述のように２つの液晶パネルを備える携帯電話機の中には、各々の液晶パネルごとにバックライトを組み込んだものがある。しかしながら、２つの液晶パネルは携帯電話機本体に裏表の位置関係で設けられるため、それらの間に２つのバックライトを組み込むようにすると、その部分で電話機本体の厚みが厚くなってしまう。そこで従来においては、１つのバックライトを共通の面光源として、２つの液晶パネルに同時に光を照射し得る構成とした携帯電話機も知られている（例えば、特許文献１）。
【０００５】
図７は携帯電話機に用いられる表示モジュールの構成例を示す概略断面図である。図７においては、２つの液晶パネル１，２が、バックライト３とともにフレーム部材４に実装される構成となっている。液晶パネル１，２は、それぞれ２枚のガラス板を用いて構成されるもので、それらのガラス板の間に液晶が封入されている。一方の液晶パネル（以下、第１の液晶パネル）１は携帯電話機のメインディスプレイ部を形成するもので、他方の液晶パネル（以下、第２の液晶パネル）２は携帯電話機のサブディスプレイ部を形成するものである。そのため、第１の液晶パネル１の平面的なサイズ（画面サイズ）は第２の液晶パネル２よりも大きく設定されている。
【０００６】
バックライト３は、光源となるＬＥＤ(Light Emitting Diode)５と導光板６とによって構成されている。ＬＥＤ５は、導光板６の一辺部に必要個数だけ並べて設けられるものである。導光板６は、ＬＥＤ５が発した光を導光することにより、当該導光板６の厚み方向（双方向）に沿う面状の光として出射するものである。導光板６の表裏面にはそれぞれプリズムシート７，８が積層されるようになっている。
【０００７】
フレーム部材４は、例えば、樹脂の一体成形によって形成されるものである。フレーム部材４の最外周部には第１のフレーム部９が設けられている。また、フレーム部材４には開口部１０が設けられ、この開口部１０を取り囲む状態で第２のフレーム部１１が設けられている。第１のフレーム部９はフレーム部材４の厚み方向の一方に突出し、第２のフレーム部１１はフレーム部材４の厚み方向の他方に突出している。
【０００８】
このフレーム部材４を用いて表示モジュールを組み立てる場合は、図８に示すように、第１のフレーム部９の内側に第１の液晶パネル１、バックライト３及びプリズムシート７，８を嵌め込んで実装するとともに、第２のフレーム部１１の内側に第２の液晶パネル２を嵌め込んで実装する。この実装状態においては、第１の液晶パネル１と第２の液晶パネル２との間にバックライト３が介装された状態となる。また、バックライト３は、第１の液晶パネル１とフレーム部材４との間に挟み込まれた状態となる。
【０００９】
上記構成の表示モジュールにおいて、バックライト３のＬＥＤ５を発光させると、そこで発光させた光が導光板６の両面から出射される。このとき、導光板６の一面から出射された光はプリズムシート７を透過して第１の液晶パネル１に照射され、導光板６の他面から出射された光はプリズムシート８及び開口部１０を透過して液晶パネル２に照射される。これにより、共通（１つ）のバックライト３を用いて２つの液晶パネル１，２に同時に光を照射することができる。
【００１０】
【特許文献１】特開２００２−２８８７１４４号公報（請求項１、図４参照）
【発明の開示】
【発明が解決しようとする課題】
【００１１】
ところで、従来の携帯電話機においては、表示モジュールの構成部品となるフレーム部材４を白色の樹脂で形成することにより、上述のように導光板６の他面から出射した光をフレーム部材４の表面（白色面）で積極的に反射させ、その反射光を第１の液晶パネル１への照射光として利用することにより、輝度などの光学特性を高めるようにしている。
【００１２】
しかしながら、フレーム部材４の開口部１０では、導光板６の他面から出射した光が当該開口部１０を透過して第２の液晶パネル２へと照射されるため、そこからの反射光は非常に少ないものとなる。そうした場合、携帯電話機を使用するユーザが第１の液晶パネル１を正面から見たときに、フレーム部材４の開口部１０の縁が窓枠状の影となって見えてしまう。そのため、ユーザに違和感を与える恐れがある。
【００１３】
本発明は、上記課題を解決するためになされたもので、その目的とするところは、２つの液晶パネルに共通のバックライトで光を照射すべくフレーム部材に開口部を設けた場合に、この開口部の縁が、画面サイズの大きい方の液晶パネルの表示画面内で窓枠状の影となって見えないようにすることにある。
【課題を解決するための手段】
【００１４】
本発明に係る表示モジュールは、２つの液晶パネルと、これら２つの液晶パネルの間に介装され、２つの液晶パネルの両方に光を照射するバックライトと、このバックライトが実装されるとともに、バックライトからの光を一方の液晶パネル側に透過させる開口部を有するフレーム部材とを備え、バックライトに対向しかつ一方の液晶パネルの裏面と同じ方向を向くフレーム部材の所定面を、一方の液晶パネルの裏面と同等以下の光反射率を有する面としたものである。また、本発明に係る携帯電話機は、上記構成の表示モジュールを用いたものである。
【００１５】
本発明に係る表示モジュールとこれを用いた携帯電話機においては、バックライトから一方の液晶パネルに向けて照射された光の一部がフレーム部材の所定面に入射する。このとき、フレーム部材の所定面を、一方の液晶パネルの裏面と同等以下の光反射率を有する面とすれば、フレーム部材の開口部の縁で、当該フレーム部材の所定面と一方の液晶パネルの裏面との境目が目立たなくなる。
【００１６】
本発明に係る他の表示モジュールは、２つの液晶パネルと、これら２つの液晶パネルの両方に光を照射するバックライトと、このバックライトが実装されるとともに、バックライトからの光を一方の液晶パネル側に透過させる開口部を有するフレーム部材とを備え、バックライトとフレーム部材との間にシート部材を介装するとともに、バックライトに対向しかつ一方の液晶パネルの裏面と同じ方向を向くシート部材の所定面を、一方の液晶パネルの裏面と同等以下の光反射率を有する面としたものである。また、本発明に係る他の携帯電話機は、上記構成の表示モジュールを用いたものである。
【００１７】
本発明に係る他の携帯電話機とこれを用いた携帯電話機においては、バックライトとフレーム部材との間にシート部材を介装することにより、バックライトから一方の液晶パネルに向けて照射された光の一部がシート部材の所定面に入射する。このとき、シート部材の所定面を、一方の液晶パネルの裏面と同等以下の光反射率を有する面とすれば、フレーム部材の開口部の縁で、シート部材の所定面と一方の液晶パネルの裏面との境目が目立たなくなる。
【発明の効果】
【００１８】
本発明の携帯電話機によれば、２つの液晶パネルに共通のバックライトで光を照射する構成を採用する場合に、フレーム部材に設けられた開口部の縁が窓枠状の影となって他方の液晶パネル側から見えないようにすることができる。そのため、他方の液晶パネルの表示画面を見るユーザに違和感を与える恐れがなくなる。
【発明を実施するための最良の形態】
【００１９】
以下、本発明の具体的な実施の形態について図面を参照しつつ詳細に説明する。
【００２０】
図１は本発明が適用される携帯電話機の外観図である。図示した携帯電話機１００は、電話機本体を形成する２つの筐体部分１０１，１０２をヒンジ部１０３で回動自在に連結することにより、当該２つの筐体部分１０１，１０２を開閉自在（折畳み自在）とした折り畳み式の携帯電話機である。図２（Ａ）は携帯電話機を開いた状態を示し、図２（Ｂ）は携帯電話機を閉じた状態（折り畳んだ状態）を示している。
【００２１】
一方の筐体部分１０１の主面側には、文字等の入力機能を兼ねる発信ダイヤル用の入力キー（テンキー等）や、各種の機能選択等を行う操作ボタン、通話オンボタン、電源兼通話オフボタン、切替ボタン、メモリ呼出ボタン等の各種の機能ボタン、通話用のマイク部（送話部）などが配置された操作面１０４が設けられている。また、筐体部分１０１の背面側には、図示しない電池パックの収容部とともに、伸縮ロッド式のアンテナ部１０５が設けられている。アンテナ部１０５は他方の筐体部分１０２に設けることも可能である。
【００２２】
他方の筐体部分１０２の主面側には、通話用のスピーカ部（受話部）１０６とともにメインディスプレイ部１０７が設けられている。スピーカ部１０６とメインディスプレイ部１０７は筐体部分１０２の主面側に設けられている。筐体部分１０１，１０２の主面側とは、携帯電話機１００を閉じたときに（折り畳んだときに）互いに対面する側をいい、主面と反対側（裏面側）を背面側という。よって、携帯電話機１００を閉じた状態ではメインディスプレイ部１０７が上記操作面１０４に対向して配置されることになる。
【００２３】
一方、筐体部分１０２の背面側にはサブディスプレイ部１０８が設けられている。筐体部分１０２の背面とは、当該筐体部分１０２の主面と反対側（裏側）の面をいう。サブディスプレイ部１０８は、メインディスプレイ部１０７よりも小さいサイズとなっている。また、携帯電話機１００を開いてメインディスプレイ部１０７を正面から見たときに、このメインディスプレイ部１０７の表示エリア内にサブディスプレイ部１０８の表示エリアが配置される構成となっている。
【００２４】
図３は上記携帯電話機１００の筐体部分１０２に組み込まれる表示モジュールの構成例を示す概略断面図である。この表示モジュールは、主として、第１の液晶パネル１と、第２の液晶パネル２と、バックライト３と、フレーム部材４とを用いて構成されている。第１の液晶パネル１は本発明における他方の液晶パネルに相当し、第２の液晶パネル２は本発明における一方の液晶パネルに相当するものとなる。バックライト３は、光源となるＬＥＤ５と導光板６により構成されている。また、導光板６の両面（表裏面）にはそれぞれプリズムシート７，８が積層されるようになっている。これらの基本的なモジュール構成は上記従来技術で説明したとおりである。この表示モジュールは上記携帯電話機１００の筐体部分１０２に組み込まれる。その場合、第１の液晶パネル１はメインディスプレイ部１０７を構成するものとなり、第２の液晶パネル２はサブディスプレイ部１０８を構成するものとなる。また、第１の液晶パネル１は筐体部分（電話機本体）１０２の主面側に設けられ、第２の液晶パネル２は筐体部分１０２の背面側に設けられる。
【００２５】
図４は本発明の実施形態で採用したフレーム部材の構成を示す斜視図である。このフレーム部材４には、上記従来技術で記述したとおり第１のフレーム部９と開口部１０が設けられ、かつ第１のフレーム部９と反対側に開口部１０を取り囲む状態で第２のフレーム部１１（図３参照）が設けられている。そして、第１のフレーム部９の内側に第１の液晶パネル１、バックライト３及びプリズムシート７，８が実装され、第２のフレーム部１１の内側に第２の液晶パネル２が実装されるようになっている。これに対して、フレーム部材４の所定面４Ａ（図のハッチング部分）には、当該所定面４Ａの光反射率を調整するために、着色処理又は粗面化処理、或いはその両方の処理が施されている。
【００２６】
フレーム部材４の所定面４Ａは、開口部１０の開口縁から第１のフレーム部９に至る平面である。この所定面４Ａは、上述のように第１のフレーム部９の内側に第１の液晶パネル１とバックライト３を実装したときに、第１の液晶パネル１の裏面（非表示面）やバックライト３に対向する面となる。また、所定面４Ａは、第２のフレーム部１１の内側に第２の液晶パネル２を実装したときに、第２の液晶パネル２の裏面と同じ方向を向く面となる。この所定面４Ａの光反射率を着色処理や粗面化処理によって調整することにより、当該所定面４Ａは、第２の液晶パネル２の裏面と同等またはそれ以下の光反射率（但し最小値は０％より大）を有するものとなっている。なお、第２の液晶パネル２の裏面に何らかの理由で光学シートを積層する場合は、この光学シートを含めて第２の液晶パネル２の裏面の光反射率が特定されるものとする。
【００２７】
着色処理としては、フレーム部材４の樹脂成形に使用する樹脂材料に、高い光吸収性を有する着色樹脂、好ましくは黒色系の樹脂を用いる場合や、樹脂成形後のフレーム部材４の所定面４Ａに、高い光吸収性を有する高濃度の塗料、好ましくは黒色系の塗料（以下、着色塗料とも記す）を塗布するなどの処理が考えられる。また、粗面化処理としては、樹脂成形用金型のキャビティ面に微小な凹凸を形成し、この樹脂形成用金型を用いてフレーム部材４を成形する場合や、樹脂成形後のフレーム部材４の所定面４Ａに、ブラスト処理、ドット処理、シボ加工などを施すことにより、微小な凹凸を形成する場合などが考えられる。
【００２８】
また、これらの処理の組み合わせとして、例えば、着色樹脂を用いて樹脂成形したフレーム部材４の所定面にブラスト処理、ドット処理、シボ加工などによって微小な凹凸を形成する場合や、キャビティ面に微小な凹凸が形成された樹脂形成用金型を用いてフレーム部材４を成形した後、このフレーム部材４の所定面４Ａに塗料を塗布する場合などが考えられる。また、これ以外にも、フレーム部材４の所定面４Ａに粗面化処理によって微小な凹凸を形成した後、この所定面４Ａに着色処理を施す場合や、予め微粒子を混合した高濃度（例えば、黒色系）の塗料をフレーム部材４の所定面４Ａに塗布することで、塗料に混ぜた微粒子を所定面４Ａ全域に分散させて微小な凹凸を形成する場合などが考えられる。
【００２９】
さらに、フレーム部材４は樹脂に限らず、例えばアルミニウムなどの金属で構成することも可能である。フレーム部材４を金属で構成する場合は、メッキ処理などの表面処理や黒化処理等によってフレーム全面を着色することも可能である。また、フレーム部材４に対する着色処理や粗面化処理は所定面４Ａを含むフレーム全面を処理対象としてもよい。
【００３０】
上記構成の表示モジュールを備える携帯電話機において、例えば、フレーム部材４の所定面４Ａの光反射率を第２の液晶パネル２の裏面と同等の光反射率とした場合は、バックライト３のＬＥＤ５で発光させた光を導光板６で導光し、この導光板６の両面からそれぞれ第１の液晶パネル１と第２の液晶パネル２に向けて光を出射したときに、フレーム部材４の所定面４Ａに入射した光と第２の液晶パネル２の裏面に入射した光が互いに同等の反射率で反射するようになる。これにより、フレーム部材４の開口部１０の縁で、所定面４Ａと第２の液晶パネル３裏面との境目が目立たなくなる。したがって、携帯電話機１を開いてメインディスプレイ部１０７の表示画面を見たときに、その画面内でフレーム部材４の開口部１０の縁が窓枠状の影となって見えることは皆無となる。
【００３１】
また、第２の液晶パネル２の裏面は、導光板６からの光を効率良くパネル内部に取り込むために、光反射率が十分に低く設定されている。そのため、フレーム部材４の所定面４Ａの光反射率を、第２の液晶パネル２の裏面の光反射率より低く抑えた場合でも、フレーム部材４の開口部１０の縁が目立たなくなる。したがって、メインディスプレイ部１０７の表示画面内でフレーム部材４の開口部１０の縁が窓枠状の影となって見えることは皆無となる。また、フレーム部材４の所定面４Ａに着色処理や粗面化処理を施すことにより、バックライト３を用いた照明系の光学特性を調整することも可能となる。
【００３２】
ここで、樹脂成形後の白色のフレーム部材４をそのまま用いて表示モジュールを構成した場合と、ＪＩＳ規格で１５０番の粒径を有する粒子（砂）を用いたブラスト処理によって所定面４Ａに微小な凹凸を形成したフレーム部材４を用いて表示モジュールを構成した場合で、開口部１０による影の見え具合を比較したところ、前者の場合は容易に影を確認できたのに対し、後者の場合は殆ど影を確認できなかった。
【００３３】
なお、上記実施形態においては、フレーム部材４の所定面４Ａを、第２の液晶パネル２の裏面と同等又はそれ以下の光反射率を有する面としたが、これ以外にも、例えば、図５に示すように、フレーム部材４の第１のフレーム部９の内側に、所定面４Ａを覆うようにシート部材１２を嵌め込むとともに、このシート部材１２の所定面（図のハッチング部分）１２Ａを、第２の液晶パネル２の裏面と同等又はそれ以下の光反射率を有する面としてもよい。
【００３４】
シート部材１２は、例えば薄い樹脂製のシートによって構成されるものである。シート部材１２の所定面１２Ａの光反射率は着色処理により調整することが可能である。着色処理の具体例としては、シート部材１２の樹脂成形に着色樹脂を用いる場合や、樹脂成形後のシート部材１２の所定面１２Ａに着色塗料を塗布する場合などが考えられる。このシート部材１２は、上記図３に示す表示モジュールにおいて、バックライト３に隣接するプリズムシート８とフレーム部材４との間に介装される。また、シート部材１２の所定面１２Ａは、第１の液晶パネル１の裏面やバックライト３と対向し、かつ第２の液晶パネル２の裏面と同じ向きで配置される。シート部材１２には開口部１３が形成されている。この開口部１３はフレーム部材４の開口部１０とほぼ同じ形状及び寸法に形成され、フレーム部材４の所定面４Ａにシート部材１２を積層したときに開口部１０と重ね合わせられる。
【００３５】
上記構成の表示モジュールを備える携帯電話機において、例えば、シート部材１２の所定面１２Ａの光反射率を第２の液晶パネル２の裏面と同等の光反射率とした場合は、バックライト３のＬＥＤ５で発光させた光を導光板６で導光し、この導光板６の両面からそれぞれ第１の液晶パネル１と第２の液晶パネル２に向けて光を出射したときに、シート部材１２の所定面１２Ａに入射した光と第２の液晶パネル２の裏面に入射した光が互いに同等の反射率で反射するようになる。これにより、フレーム部材４の開口部１０の縁で、シート部材１２の所定面１２Ａと第２の液晶パネル３裏面との境目が目立たなくなる。したがって、携帯電話機１を開いてメインディスプレイ部１０７の表示画面を見たときに、その画面内でフレーム部材４の開口部１０の縁が窓枠状の影となって見えることは皆無となる。
【００３６】
また、第２の液晶パネル２の裏面は、導光板６からの光を効率良くパネル内部に取り込むために、光反射率が十分に低く設定されている。そのため、シート部材１２の所定面１２Ａの光反射率を、第２の液晶パネル２の裏面の光反射率より低く抑えた場合でも、フレーム部材４の開口部１０の縁が目立たなくなる。したがって、メインディスプレイ部１０７の表示画面内でフレーム部材４の開口部１０の縁が窓枠状の影となって見えることは皆無となる。また、シート部材１２の所定面１２Ａに着色処理を施すことにより、バックライト３を用いた照明系の光学特性を調整することも可能となる。
【００３７】
なお、シート部材１２の平面形状はフレーム部材４の開口部１０のサイズや位置に合わせて設定されるため、上述のように開口部１３を設けたシート形状に限らず、例えば、図６（Ａ）に示すようにフレーム部材４の開口部１０に対応するコーナー部分を切り欠いたシート形状や、図６（Ｂ）に示すようにフレーム部材４の開口部１０に対応する部分を避けた矩形のシート形状を採用することも可能である。
【図面の簡単な説明】
【００３８】
【図１】本発明が適用される携帯電話機の外観図である。
【図２】図１に示す携帯電話機を開いた状態と閉じた状態を示す図である。
【図３】携帯電話機に用いられる表示モジュールの構成例を示す概略断面図である。
【図４】本発明の実施形態で採用したフレーム部材の構成を示す斜視図である。
【図５】本発明の他の実施形態で採用したシート部材の構成を示す斜視図である。
【図６】シート部材の変形例を示す図である。
【図７】携帯電話機に用いられる表示モジュールの構成例を示す概略断面図である。
【図８】携帯電話機に用いられる表示モジュールの組み立て状態を示す概略断面図である。
【符号の説明】
【００３９】
１…第１の液晶パネル、２…第２の液晶パネル、３…バックライト、４…フレーム部材、４Ａ…所定面、１０…開口部、１２…シート部材、１２Ａ…所定面、１００…携帯電話機、１０１，１０２…筐体部分（携帯電話本体）、１０７…メインディスプレイ部、１０８…サブディスプレイ部
【図１】
2005257723.tif 000003
【図２】
2005257723.tif 000004
【図３】
2005257723.tif 000005
【図４】
2005257723.tif 000006
【図５】
2005257723.tif 000007
【図６】
2005257723.tif 000008
【図７】
2005257723.tif 000009
【図８】
2005257723.tif 000010